【手続補正書】
【提出日】平成19年10月12日(2007.10.12)
【手続補正１】
【補正対象書類名】特許請求の範囲
【補正対象項目名】全文
【補正方法】変更
【補正の内容】
【特許請求の範囲】
【請求項１】
第１及び第２の工作物を、工作物の軸に沿った同軸関係で相互に対して支持する溶接取付具であって、
ベースと、
ベースの上にあって、溶接平面の左側で第１の工作物を保持する左クランプと、
ベースの上にあって、該溶接平面の右側で第２の工作物を第１の工作物との同軸関係に保持する右クランプと、
ベースの上にあって右クランプを操作する左ハンドルと、
ベースの上に、該左ハンドルの右側にあって左クランプを操作する右ハンドルと
を備える取付具。
【請求項２】
第１の工作物の変更を可能にするため、左クランプが左ハンドルとの接触だけによって動作可能であり、第２の工作物の変更を可能にするため、右クランプが右ハンドルとの接触だけによって動作可能である、請求項１に記載の取付具。
【請求項３】
左及び右クランプの各々が、関連した工作物をクランプする閉鎖位置、閉鎖位置から第１の距離だけ離されており、関連した工作物の挿入及び除去を可能にする開放位置、及び第１の距離よりも大きい第２の距離だけ閉鎖位置から離されており、クランプからクランプ部品の除去及び置換を可能にする工具変更位置を有する、請求項１に記載の取付具。
【請求項４】
クランプ部品がベースの上に支持されて、閉鎖位置、開放位置、及び工具変更位置の間で、工作物の軸とは別個の軸の周りを回動する、請求項３に記載の取付具。
【請求項５】
左及び右ハンドルが、通常、或る範囲内でのみ移動可能であって開放位置と閉鎖位置との間でクランプを移動し、更に、開放位置を通過して工具変更位置へ移動するため左及び右ハンドルを解放してハンドルを工具変更位置に保持する手動可能な解放機構が含まれる、請求項３に記載の取付具。
【請求項６】
更に、軌道溶接機を含み、該軌道溶接機が、溶接平面に沿った第１及び第２の工作物の溶接を達成するため、溶接平面で工作物の軸の周りを回転できる電極を含む、請求項１に記載の取付具。
【請求項７】
更に、ベースの上に支持されて、遮へい位置と非遮へい位置との間で回動するアーク遮へいを含み、第１及び第２のクランプのいずれかが閉鎖位置から開放位置へ移動されるとき、アーク遮へいが遮へい位置から非遮へい位置へ移動し、もし第１及び第２のクランプのいずれかが開放位置にあれば、アーク遮へいが非遮へい位置から遮へい位置への移動を妨害される、請求項１に記載の取付具。
【請求項８】
左ハンドル及び右ハンドルが右クランプと同じ溶接平面側にあり、左クランプが反対の溶接平面側にあり、右ハンドルから溶接平面を横切って左クランプへ作動力を伝送する機構が含まれる、請求項１に記載の取付具。
【請求項９】
ピボット軸の周りを回転するためベースの上に支持されたシャフトであって、右ハンドルを力伝送関係で左クランプへ接続するシャフトと、
シャフトの周り及びピボット軸の周りを回転できるスリーブであって、左ハンドルを力伝送関係で右クランプへ接続するスリーブと
を含む、請求項１に記載の取付具。
【請求項１０】
傾斜機構を含み、該傾斜機構によって、左及び右クランプ及び左及び右ハンドルがベースの表面に対して傾斜され、溶接ロケーションを観察するために必要な目視線が調整される、請求項１に記載の取付具。
【請求項１１】
傾斜機構が、第２のベース・プレートに対して上方へ傾斜可能な第１のベース・プレートを含み、左及び右クランプ及び左及び右ハンドルが第１のベース・プレートの上に取り付けられ、傾斜機構が、更に、クランプ機構を含み、該クランプ機構によって、第１のベース・プレートの所望の傾斜位置が設定可能である、請求項１０に記載の取付具。
【請求項１２】
第１及び第２の工作物を、工作物の軸に沿った同軸関係で、及び溶接平面の対向する側で、相互に対して支持する溶接取付具であって、
ベースと、
ベースの上にあって第１の工作物を保持する第１のクランプと、
ベースの上にあって、第２の工作物を、溶接平面の反対側で第１の工作物との同軸関係に保持する第２のクランプと、
第１及び第２のクランプが、それぞれ第１及び第２の移動可能クランプ部品を含み、該クランプ部品が工作物の軸とは別個のピボット軸の周りを回動することができることと、
ベースの上にあって第１のクランプを操作する第１のハンドルと、
ピボット軸の周りを回転するためベースの上に支持されたシャフトであって、第１のハンドルを力伝送関係で第１の移動可能クランプ部品へ接続するシャフトと、
ベースの上にあって第２のクランプを操作する第２のハンドルと、
シャフトの周り及びピボット軸の周りを回転できるスリーブであって、第２のハンドルを力伝送関係で第２の移動可能クランプ部品へ接続するスリーブと
を備える取付具。
【請求項１３】
シャフトと係合及び駆動されるハブを含み、第１のクランプ部品がハブと係合及び駆動され、第２のクランプ部品がスリーブと係合及び駆動される、請求項１２に記載の取付具。
【請求項１４】
ハブが、スリーブの外部構成を複製する外部構成を有し、それによって第１及び第２のクランプ部品が相互に交換可能となる、請求項１３に記載の取付具。
【請求項１５】
第１のクランプ部品が第２のクランプ部品と相互に交換可能である、請求項１４に記載の取付具。
【請求項１６】
第２のハンドル及びスリーブ及び第２のクランプ部品及び第１のハンドルが溶接平面の１つの側に位置し、溶接平面を通過して延びるシャフト及び第１のクランプ部品が溶接平面の他の側に位置する、請求項１２に記載の取付具。
【請求項１７】
更に、軌道溶接機を含み、該軌道溶接機が、溶接平面に沿った第１及び第２の工作物の溶接を達成するため、溶接平面で工作物の軸の周りを回転できる電極を含む、請求項１２に記載の取付具。
【請求項１８】
更に、遮へい位置と非遮へい位置との間で回動するためベースの上に支持されたアーク遮へいを含み、第１及び第２のクランプのいずれかが閉鎖位置から開放位置へ移動されるとき、アーク遮へいが遮へい位置から非遮へい位置へ移動し、もし第１及び第２のクランプのいずれかが開放位置にあれば、アーク遮へいが、非遮へい位置から遮へい位置への移動を妨害される、請求項１２に記載の取付具。
【請求項１９】
第１及び第２の工作物を、軸に沿った同軸関係で、及び溶接平面の対向する側で、相互に対して支持する溶接取付具であって、
ベースと、
ベースの上にあって第１の工作物を保持する第１のクランプと、
ベースの上にあって、第２の工作物を、溶接平面の反対側で第１の工作物との同軸関係に保持する第２のクランプと、
ベースの上にあって第１のクランプを操作する第１のハンドルと、
ベースの上にあって第２のクランプを操作する第２のハンドルと、
第１のハンドル及び第２のハンドルが第２のクランプと同じ溶接平面側にあり、第１のクランプが反対の溶接平面側にあり、第１のハンドルから溶接平面を横切って第１のクランプへ作動力を伝送する機構が含まれることと
を備える溶接取付具。
【請求項２０】
機構がスリーブ及びシャフトの同軸配列を含み、シャフトが第１のハンドルから第１のクランプへ力を伝送し、スリーブが第２のハンドルから第２のクランプへ力を伝送する、請求項１９に記載の溶接取付具。
【請求項２１】
シャフト及びスリーブが溶接ロケーションに隣接したそれぞれの端部を有し、機構が、シャフトの直径を増加してスリーブの直径と同じにするハブをシャフトの端部に含む、請求項２０に記載の溶接取付具。
【請求項２２】
第１のクランプが第１の移動可能クランプ部品を含み、第２のクランプが、第１の移動可能クランプ部品と同じ第２の移動可能クランプ部品を含む、請求項２１に記載の溶接取付具。
【請求項２３】
更に、軌道溶接機を含み、該軌道溶接機が、溶接平面に沿った第１及び第２の工作物の溶接を達成するため、溶接平面で工作物の軸の周りを回転できる電極を含む、請求項１９に記載の取付具。
【請求項２４】
更に、遮へい位置と非遮へい位置との間で回動するためベースの上に支持されたアーク遮へいを含み、第１及び第２のクランプのいずれかが閉鎖位置から開放位置へ移動されるとき、アーク遮へいが遮へい位置から非遮へい位置へ移動し、もし第１及び第２のクランプのいずれかが開放位置にあれば、アーク遮へいが非遮へい位置から遮へい位置への移動を妨害される、請求項１９に記載の取付具。
【請求項２５】
第１及び第２の工作物を、工作物の軸に沿った同軸関係で相互に対して支持する溶接取付具であって、
ベースと、
ベースの上にあって、第１の工作物を保持する閉鎖位置を有し、また開放位置を有する第１のクランプと、
ベースの上にあって、第２の工作物を、第１の工作物との同軸関係で保持する閉鎖位置を有し、また開放位置を有する第２のクランプであって、第１のクランプ部品から独立して移動できる第２のクランプと、
溶接ロケーションをカバーする遮へい位置と非遮へい位置との間で回動するためベースの上に支持されたアーク遮へいと、
第１及び第２のクランプのいずれかが閉鎖位置から開放位置へ移動されるとき、アーク遮へいが遮へい位置から非遮へい位置へ移動し、もし第１及び第２のクランプのいずれかが開放位置にあれば、アーク遮へいが非遮へい位置から遮へい位置への移動を妨害されることと
を備える溶接取付具。
【請求項２６】
第１及び第２のクランプが、それぞれ第１及び第２の移動可能クランプ部品を含み、該移動可能クランプ部品が、遮へい位置から非遮へい位置へアーク遮へいを移動して非遮へい位置にアーク遮へいを保持するため、工作物の軸とは別個のピボット軸の周りを独立に回動できる、請求項２５に記載の溶接取付具。
【請求項２７】
更に、軌道溶接機を含み、該軌道溶接機が、溶接平面に沿った第１及び第２の工作物の溶接を達成するため、溶接平面で工作物の軸の周りを回転できる電極を含む、請求項２５に記載の取付具。
【請求項２８】
更に、第１及び第２のクランプをそれぞれ操作する第１及び第２のハンドルを含み、第２のハンドル及び第１のハンドルが第２のクランプと同じ溶接平面側にあり、第１のクランプが反対の溶接平面側にあり、第１のハンドルから溶接平面を横切って第１のクランプへ作動力を伝送する機構が含まれる、請求項２５に記載の取付具。
【請求項２９】
機構が、ピボット軸の周りを回転するためにベースの上に支持されたシャフトを含み、該シャフトが第１のハンドルを力伝送関係で第１のクランプへ接続し、スリーブがシャフトの周り及びピボット軸の周りで回転することができ、スリーブが第２のハンドルを力伝送関係で第２のクランプへ接続する、請求項２８に記載の取付具。
【請求項３０】
溶接装置であって、
溶接平面に沿った第１及び第２の工作物の溶接を達成するため、溶接平面で軸の周りを回転できる電極を含む軌道溶接機と、
第１及び第２の工作物を、軸に沿った同軸関係で、及び溶接平面の対向する側で、相互に対して支持する溶接取付具と、
取付具が、ベース、ベースの上にあって第１の工作物を保持する第１のクランプ、ベースの上にあって、第２の工作物を、溶接平面の反対側で第１の工作物との同軸関係で保持する第２のクランプと、
取付具が、更に、ベースの上にあって第１のクランプを操作する第１のハンドル、及びベースの上にあって第２のクランプを操作する第２のハンドルを備え、第１のハンドル及び第２のハンドルが第２のクランプと同じ溶接平面側にあり、第１のクランプが反対の溶接平面側にあり、取付具が、第１のハンドルから溶接平面を横切って第１のクランプへ作動力を伝送する機構を含むことと
を備える装置。
【請求項３１】
更に、遮へい位置と非遮へい位置との間で回動するためベースの上に支持されたアーク遮へいを含み、
第１及び第２のクランプのいずれかが閉鎖位置から開放位置へ移動されるとき、アーク遮へいが遮へい位置から非遮へい位置へ移動し、もし第１及び第２のクランプのいずれかが開放位置にあれば、アーク遮へいが非遮へい位置から遮へい位置への移動を妨害される、請求項３０に記載の装置。
【請求項３２】
機構が、ピボット軸の周りを回転するためベースの上に支持されたシャフトを含み、該シャフトが第１のハンドルを力伝送関係で第１のクランプへ接続し、スリーブがシャフトの周り及びピボット軸の周りを回転することができ、スリーブが第２のハンドルを力伝送関係で第２のクランプへ接続する、請求項３０に記載の装置。
【請求項３３】
溶接平面で軸の周りを回転できる溶接電極を有する軌道溶接機によって溶接するため、第１及び第２の工作物を同軸関係に取り付ける方法であって、
第１のハンドルを移動して第１の移動可能クランプ部材を移動し、溶接平面の第１の軸側で第１の工作物をクランプし、
第２のハンドルを移動して第２の移動可能クランプ部材を移動し、溶接平面の第２の軸側で第２の工作物をクランプし、
第１のハンドルを移動するステップ及び第２のハンドルを移動するステップが、溶接平面の第２の軸側で実行される
ステップを備える方法。
【請求項３４】
第１のハンドルを移動して第１の移動可能クランプ部材を移動するステップが、溶接平面の第２の軸側から溶接平面の第１の軸側へ溶接平面を横切って力を伝送するステップを含む、請求項３３に記載の方法。
【請求項３５】
第２のハンドルを移動して第２の移動可能クランプ部材を移動するステップが、溶接平面の第２の軸側に位置するスリーブを回転するステップを含み、
第１のハンドルを移動して第１の移動可能クランプ部材を移動するステップが、スリーブの中でシャフトを回転するステップを含み、シャフトが溶接平面を横切って延び、それによって溶接平面の第２の軸側から溶接平面の第１の軸側へ溶接平面を横切って力を伝送する、
請求項３４に記載の方法。
【請求項３６】
第２のハンドルを移動して第２の移動可能クランプ部材を移動するステップが、第１のハンドルと溶接平面との間で軸方向に配置されたハンドルを移動するステップを含む、請求項３３に記載の方法。
【請求項３７】
溶接平面で軸の周りを回転できる溶接電極を使用して、溶接平面の対向する軸側で同軸関係にある第１及び第２の工作物を溶接する方法であって、
溶接平面の第１の軸側に第１の工作物を置き、
溶接平面の第２の軸側で第１のハンドルを移動して第１の工作物をクランプし、
溶接平面の第２の軸側に第２の工作物を置き、
溶接平面の第２の軸側で第２のハンドルを移動して第２の工作物をクランプし、
溶接平面で第１及び第２の工作物の溶接を達成するため、溶接平面で溶接電極を軸の周りに回転する
ステップを備える方法。
【請求項３８】
第２のハンドルを移動して第２の工作物をクランプするステップが、溶接平面の第２の軸側に位置するスリーブを回転するステップを含み、第１のハンドルを移動して第１の工作物をクランプするステップが、スリーブの中でシャフトを回転するステップを含み、シャフトが溶接平面を横切って延び、それによって溶接平面の第２の軸側から溶接平面の第１の軸側へ溶接平面を横切って力を伝送する、請求項３７に記載の方法。
【請求項３９】
第２のハンドルを移動して第２の工作物をクランプするステップが、第１のハンドルと溶接平面との間で軸方向に配置されたハンドルを移動するステップを含む、請求項３７に記載の方法。